(57)【要約】【課題】  センサなどの特別の付加機能部を使用することなく、利用者自身の生体情報を含む健康管理のための健康情報の異常が、どの程度かを容易に判別することが可能な携帯型音楽再生装置を得る。【解決手段】  利用者の生体情報をイヤホンにより計測して生成する手段と、前記生体情報の異常時に警報を発生すると共に、予め登録された通報先へその旨を通報する手段と、前記生体情報の値に応じて予め登録された音楽を選択して演奏する演奏手段とを含むことを特徴とする。【選択図】  図２
2009284996.tif 000002
【特許請求の範囲】
【請求項１】
利用者の生体情報をイヤホンにより計測して生成する手段と、
前記生体情報の異常時に警報を発生すると共に、予め登録された通報先へその旨を通報する手段と、
前記生体情報の値に応じて予め登録された音楽を選択して演奏する演奏手段とを含むことを特徴とする携帯型音楽再生装置。
【請求項２】
利用者の健康を管理するための歩数、歩速、消費カロリーなどの健康管理情報を計測して生成する手段を、更に含み、
前記演奏手段は、前記健康管理情報の値に応じて、予め設定された音楽の演奏テンポを変更して演奏することを特徴とする請求項１記載の携帯型音楽再生装置。
【請求項３】
前記演奏手段は、前記健康管理情報の値が予め設定された目標値に近い時に、前記音楽を正常な演奏テンポにより演奏し、前記健康管理情報の値が前記目標値から離れるに従って、正常な演奏テンポから離れるようにしたことを特徴とする請求項２記載の携帯型音楽再生装置。
【請求項４】
前記生体情報の値及び前記健康管理情報の値を、医師を含む医療機関へ送信する手段を、更に含むことを特徴とする請求項２または３記載の携帯型音楽再生装置。
【請求項５】
前記健康管理情報の目標値は、前記医療機関から送信されることを特徴とする請求項２〜４いずれか記載の携帯型音楽再生装置。
【請求項６】
前記生体情報及び健康管理情報の測定結果を表示する表示手段を、更に含むことを特徴とする請求項２〜５いずれか記載の携帯型音楽再生装置。
【請求項７】
携帯型音楽再生装置による生体情報管理方法であって、
利用者の生体情報をイヤホンにより計測して生成するステップと、
前記生体情報の異常時に警報を発生すると共に、予め登録された通報先へその旨を通報するステップと、
前記生体情報の値に応じて予め登録された音楽を選択して演奏する演奏ステップとを含むことを特徴とする方法。
【請求項８】
利用者の健康を管理するための歩数、歩速、消費カロリーなどの健康管理情報を計測して生成するステップを、更に含み、
前記演奏ステップは、前記健康管理情報の値に応じて、予め設定された音楽の演奏テンポを変更して演奏することを特徴とする請求項７記載の方法。
【請求項９】
前記演奏ステップは、前記健康管理情報の値が予め設定された目標値に近い時に、前記音楽を正常な演奏テンポにより演奏し、前記健康管理情報の値が前記目標値から離れるに従って、正常な演奏テンポから離れるようにしたことを特徴とする請求項８記載の方法。
【請求項１０】
前記生体情報の値及び前記健康管理情報の値を、医師を含む医療機関へ送信するステップを、更に含むことを特徴とする請求項８または９記載の方法。
【請求項１１】
前記健康管理情報の目標値は、前記医療機関から送信されることを特徴とする請求項８〜１０いずれか記載の方法。
【請求項１２】
前記生体情報及び健康管理情報の測定結果を表示する表示手段を、更に含むことを特徴とする請求項８〜１１いずれか記載の方法。
【請求項１３】
携帯型音楽再生装置による生体情報管理方法の動作をコンピュータに実行させるためのプログラムであって、
利用者の生体情報をイヤホンにより計測して生成する処理と、
前記生体情報の異常時に警報を発生すると共に、予め登録された通報先へその旨を通報する処理と、
前記生体情報の値に応じて予め登録された音楽を選択して演奏する処理とを含むことを特徴とするプログラム。
【発明の詳細な説明】
【技術分野】
【０００１】
本発明は携帯型音楽再生装置及びそれを用いた生体情報管理方法並びにプログラムに関し、特に利用者の体温、脈拍数などの生体情報の管理をなす携帯型音楽再生装置及びそれを用いた生体情報管理方法に関するものである。
【背景技術】
【０００２】
生体情報の習慣的な計測は、利用者の健康状態の変化を簡潔に明示し、健康状態の把握に役立つ。しかし、かかる生体情報の持続的な計測には、特許文献１に示されているように、特別の計測器具（センサを含む付加機能部）を別に装着する必要があり、よって極めて煩雑であること、また持続的に生体情報を計測するためのモチベーションを維持するのが困難であること、等の問題があった。
【０００３】
そこで、特許文献２を参照すると、常時利用者が身に付けている腕時計に、生体情報を計測するセンサを設けておき、このセンサによる生体情報の計測結果の異常を検出して、予め設定された通報先へ緊急通報すると共に、警報音を発生するようにした技術が開示されている。これにより、特別の計測器具を装着することが必要なくなり、また持続的に生体情報を計測するためのモチベーションを維持する必要もないという利点がある。
【０００４】
【特許文献１】特開２００２−００９６８３号公報
【特許文献２】特開２００６−０８１８３８号公報
【発明の開示】
【発明が解決しようとする課題】
【０００５】
上述した特許文献２の技術では、腕時計にセンサを設けて生体情報を計測して、異常時に、警報を発生すると共に、通報先へ緊急連絡をなすものであるが、警報のみでは、利用者は生体情報の異常がどの程度かを判別することができないという問題がある。
【０００６】
そこで、本発明の目的は、センサなどの特別の付加機能部を使用することなく、利用者自身の生体情報の異常がどの程度かを容易に判別することが可能な携帯型音楽再生装置及びそれを用いた生体情報管理方法並びにプログラムを提供することである。
【課題を解決するための手段】
【０００７】
本発明による携帯型音楽再生装置は、利用者の生体情報をイヤホンにより計測して生成する手段と、前記生体情報の異常時に警報を発生すると共に、予め登録された通報先へその旨を通報する手段と、前記生体情報の値に応じて予め登録された音楽を選択して演奏する演奏手段とを含むことを特徴とする。
【０００８】
本発明による健康情報管理方法は、携帯型音楽再生装置による生体情報管理方法であって、利用者の生体情報をイヤホンにより計測して生成するステップと、前記生体情報の異常時に警報を発生すると共に、予め登録された通報先へその旨を通報するステップと、前記生体情報の値に応じて予め登録された音楽を選択して演奏する演奏ステップとを含むことを特徴とする。
【０００９】
本発明によるプログラムは、携帯型音楽再生装置による生体情報管理方法の動作をコンピュータに実行させるためのプログラムであって、利用者の生体情報をイヤホンにより計測して生成する処理と、前記生体情報の異常時に警報を発生すると共に、予め登録された通報先へその旨を通報する処理と、前記生体情報の値に応じて予め登録された音楽を選択して演奏する処理とを含むことを特徴とする。
【発明の効果】
【００１０】
本発明によれば、広く普及している携帯型の音楽再生装置、すなわちポータブル音楽プレーヤーに付属のイヤホンに脈拍及び体温などの生体情報の計測機能を付加し、生体情報の計測器具の装着の煩雑性を低減することにより、継続的な生体情報の計測を行うことが容易になる。また、生体情報の計測値に応じて演奏音楽を変化させる機能を追加することにより、利用者の自己の計測値の正常及び異常、更にはその異常の程度がどのようなものかを判断することが容易となる。
【発明を実施するための最良の形態】
【００１１】
以下に、図面を参照しつつ本発明の実施の形態について詳細に説明する。図１は本発明の実施の形態によるシステム概略構成図である。本発明の実施の形態は、利用者５が常時携帯する表示画面付の携帯型音楽再生装置１と、利用者５への聴覚に訴えるイヤホン２と、利用者５が自宅に有するＰＣ（パーソナルコンピュータ）装置３と、緊急通報先４とを含んで構成されている。
【００１２】
イヤホン２は、利用者５が携帯型音楽再生装置１からの再生音楽を視聴するための機能を有しており、ヘッドホンなどが考えられる。このイヤホン２は、この視聴機能の他に、利用者５の生体情報を計測して携帯型音楽再生装置１へ送出する機能をも有している。例えば、体温や脈拍数などを計測するセンサを有しており、この生体情報を計測情報＃１とする。なお、この計測情報＃１の計測は、携帯型音楽再生装置１からの、すなわち利用者による計測開始／停止指示により、制御されるものとする。
【００１３】
携帯型音楽再生装置１は、音楽の再生をなす機能の他に、利用者の歩数及び歩速、更には、これら歩数や歩速から消費カロリーの総和を算出して生成する機能をも有しているものとする。これら歩数及び歩速、更には消費カロリーの総和などは、利用者の健康を管理するための健康管理情報であり、この情報を計測情報＃２とする。
【００１４】
また、これら計測情報＃１及び＃２の処理を行い、目標値１０３との比較や異常の判定などを行い、異常の場合には、予め設定登録された通報先４への通報１００を行うと共に、警報を発する機能をも有するものとする。
【００１５】
ＰＣ装置３は、計測情報の保存管理をなす機能（１０２）を有し、また携帯型音楽再生装置１に対する設定情報１０１の生成をなす機能を有している。この設定情報１０１としては、通報先４の連絡のための情報である電話番号やＥメールアドレス、演奏すべき音楽データやその演奏テンポなどである。通報先４は、計測情報が異常の場合に、その旨が通報されるべき人や関係機関であり、家族や、医師を含む医療機関などである。
【００１６】
図２は、この携帯型音楽再生装置１の機能ブロックを示す図である。図２を参照すると、携帯型音楽再生装置１は、通信部１１と、音楽演奏部１２と、計測情報処理部１３と、表示部１４と、制御部１５と、メモリ１６と、歩数計１７とを有している。
【００１７】
通信部１１は、ＰＣ装置３や通報先４との通信をなす機能を有し、音楽演奏部１２は、メモリ１６に記憶されている音楽データを、制御部１５の指示により再生してイヤホン２へ送出する機能を有する。計測情報処理部１３は、イヤホン２からの計測情報＃１と歩数計１７からの計測情報＃２とのデータ処理を行うものであり、目標値との比較や異常の判定などの機能を有する。
【００１８】
歩数計１７は、利用者の歩数や歩速、更には消費カロリーの総和などの計測情報＃２の生成を行って、計測情報情報処理部１３へ送出するものであり、周知の技術を用いることができる。表示部１４は、計測情報＃１及び＃２及び現在の時刻（日時）１４１を表示するものである。制御部１５は、上記各部の制御を、メモリ１６に予め格納されているプログラムの手順に従ってなすものであり、ＣＰＵ（コンピュータ）である。メモリ１６は、上記のプログラムを格納すると共に、ＰＣ装置３による設定情報を記憶し、また制御部１５の作業用メモリとしての機能をも有するものとする。
【００１９】
なお、携帯型音楽再生装置１は、特に図示しないが、全地球測位システムＧＰＳ（Global Positioning System ）機能、無線ＩＰ電話機能及び計時機能を有するものとする。また、ＰＣ装置４は、携帯型音楽再生装置１に保存している計測情報＃１及び＃２を管理格納して、経時データ、経日データを、表やグラフ化して表示する機能を有し、また、計測情報＃２である健康情報の値に応じて、演奏すべき音楽の変更設定、または当該音楽の演奏テンポの変更設定を行う。これにより、利用者は携帯型音楽再生装置１の表示画面１４１を確認しなくても、聴覚的に自分の生体情報や健康管理情報を把握することができることになる。
【００２０】
以下に、図３を参照して本発明の実施の形態の動作を説明する。まず、図３に示す＜生体情報の計測開始、表示及び保存＞の動作について説明する。利用者はイヤホン２を装着し、携帯型音楽再生装置１を操作して計測情報＃１及び計測情報＃２の計測を開始する（ステップＳ１）。イヤホン２は、携帯型音楽再生装置１から計測開始指示を受け、イヤホンに内蔵されたセンサを用いて、計測情報＃１の計測を行い（ステップＳ３）、計測情報＃１を携帯型音楽再生装置１へ送信する（ステップＳ５）。
【００２１】
携帯型音楽再生装置１は、自装置に内蔵されたセンサすなわち歩数計を用いて、歩数及び歩行速度の計測を行い（ステップＳ２）、その情報から消費カロリーを算出する（ステップＳ４）。そして、携帯型音楽再生装置１は、表示部に計測情報＃１及び＃２の数値をデジタル表示すると共に保存する（ステップＳ６）。
【００２２】
次に、図３に示す＜異常値計測時の処理＞の動作について説明する。携帯型音楽再生装置１において、計測情報＃１が計測値判定機能によって「異常」と判定された場合で、かつ計測開始から１度も「異常」と判定されていない場合には、自動又は利用者の操作によって、図示せぬ周知の緊急通報機能が起動し、「異常」である旨を事前に登録した電話、あるいは医療機関などに緊急通報する（ステップＳ７，Ｓ９，Ｓ１０）。また、電話がつながらなかった場合、一定回数以上コールしても応答がなかった場合、または留守番電話に接続された場合には、電子メールに自動で切替えて緊急通報を行う（ステップＳ１２）。
【００２３】
このときに通報される内容は、直近に計測された計測情報＃１、現在位置及び「異常」と判定した時刻である。また、これと同時に、携帯型音楽再生装置１が異常警報音を発して周囲の人間に通報する（ステップＳ１１）。
【００２４】
次に、図３に示す＜生体情報の計測終了＞の動作について説明する。利用者は、携帯型音楽再生装置１を操作して、計測情報＃１及び＃２の計測を終了する（ステップＳ８，Ｓ１３）。
【００２５】
次に、図４を参照して、計測情報に応じた演奏音楽の変更の動作について説明する。携帯型音楽再生装置１において、計測情報＃１または＃２の計測値に応じて演奏する音楽を変更する機能のＯＮ／ＯＦＦを設定する。ＯＮを設定した場合、計測情報＃１または＃２の計測値に応じて、自宅のＰＣ装置３により予め設定しておいた（処理１０１で示す）音楽を演奏する。利用者５は、イヤホン２によりこの音楽を視聴することになる。
【００２６】
次に、図５を参照して、ＰＣ装置３での操作について説明する。利用者は、携帯型音楽再生装置１をＰＣ装置３に接続し、ＰＣ装置３にインストールされている管理用ソフトウェアの操作によって、携帯型音楽再生装置１に保存されている計測情報＃１及び＃２のデータをＰＣ装置３に保存する（ステップＳ２０）。管理用ソフトウェアの操作によって、計測値判定機能において「異常」と判定された場合に通報する通報先を設定する（ステップＳ２１）。
【００２７】
保存したデータは、日付がふられて時間（分）刻みでソートされており、管理用ソフトウェアの操作によって、日時を指定して表及びグラフを作成し、ＰＣ装置３の画面に表示する（ステップＳ２２）。また、管理用ソフトウェアによって、計測情報に応じて演奏する音楽を設定する（ステップＳ２３）。
【００２８】
図６は、本発明の他の実施の形態を説明するための図であり、図４と同等部分は同一符号により示している。本実施の形態の構成は、先の実施の形態の図１及び図２と同等であり、その説明は省略する。先の実施の形態との相違点は、計測情報の計測値に応じて、演奏する音楽のテンポを変更することである。すなわち、図６の処理１０１に示すように、歩速が４Ｋｍ／Ｈに近い場合には、予め設定されている音楽ａを正常のテンポで演奏し、歩速が４Ｋｍ／Ｈを上回った場合には、音楽ａを正常のテンポより速いテンポで演奏する。また、逆に、歩速が４Ｋｍ／Ｈを下回った場合には、音楽ａを正常のテンポより遅いテンポで演奏する。
【００２９】
このように、計測情報に応じて演奏する音楽のテンポを変化させることにより、利用者は自分の歩速が、目標値に対してどのような状態かを容易に把握することができることになるのである。
【００３０】
なお、消費カロリーの総和や歩数などの健康情報の目標値は、日毎や週毎に、医療機関などから送信され、また計測結果を医療機関などへ送信するようにすることにより、利用者は目標値に対して自分の消費カロリーや歩数がどのような値であるかを容易に判定可能であり、また医療機関などにおいても、的確な運動負荷の提示や病態の正確な把握が可能となる。
【００３１】
なお、計測情報の値に応じて演奏音楽を変更することと、その音楽の演奏テンポを変更することとを、適宜を組み合わせることができることは明白である。
【図面の簡単な説明】
【００３２】
【図１】本発明の実施の形態の全体の概略構成図である。
【図２】本発明の実施の形態による携帯型音楽再生装置の構成図である。
【図３】本発明の実施の形態の動作を示すフロー図である。
【図４】本発明の実施の形態における計測情報に応じた演奏音楽の変更の動作について説明する図である。
【図５】本発明の実施の形態におけるＰＣ装置３での操作について説明するずである。
【図６】本発明の他の実施の形態を説明するための図である。
【符号の説明】
【００３３】
１  携帯型音楽再生装置
２  イヤホン
３  ＰＣ装置
４  通報先
５  利用者
１１  通信部
１２  音楽演奏部
１３  計測情報処理部
１４  表示部
１５  制御部（ＣＰＵ）
１６  メモリ
１７  歩数計
【図１】
2009284996.tif 000003
【図２】
2009284996.tif 000004
【図３】
2009284996.tif 000005
【図４】
2009284996.tif 000006
【図５】
2009284996.tif 000007
【図６】
2009284996.tif 000008